(57)【特許請求の範囲】
【請求項１】
ナビゲーション装置から位置を示す位置データを受信する位置データ受信手段と、
前記位置データ受信手段により受信された位置データを記憶する位置データ記憶手段と、
ユーザによりオンオフされる電源キーと、
前記ナビゲーション装置と接続されているか否かを検出する接続検出手段と、
少なくとも前記位置データ受信手段および前記位置データ記憶手段の前記ナビゲーション装置から位置データを転送するのに必要となる手段のみを動作させる第１の低消費電力状態に遷移させることによって、前記ナビゲーション装置から位置データを前記位置データ受信手段により受信させ、その受信された位置データを前記位置データ記憶手段に記憶させ、また、前記電源キーがオフされているときには、少なくとも前記接続検出手段の前記ナビゲーション装置との接続を検出するのに必要となる手段のみを動作させる第２の低消費電力状態に遷移させる制御手段とを備えたことを特徴とする携帯端末。
【請求項２】
請求項１記載の携帯端末において、
前記制御手段は、前記第２の低消費電力状態に遷移させているときに、前記ナビゲーション装置と接続されていることが前記接続検出手段により検出されたときには、前記第２の低消費電力状態から前記第１の低消費電力状態に遷移させることによって、前記ナビゲーション装置から位置データを前記位置データ受信手段により受信させ、その受信された位置データを前記位置データ記憶手段に記憶させることを特徴とする携帯端末。
【請求項３】
請求項２記載の携帯端末において、
位置データに対応する地図データの地図を表示する表示手段を備え、
前記制御手段は、前記電源キーがオンされているときには、少なくとも前記位置データ受信手段、前記位置データ記憶手段、前記接続検出手段および前記表示手段の地図を表示するのに必要となる手段を動作させる通常動作状態に遷移させることによって、前記位置データ記憶手段に記憶されている最新の位置データに対応する地図データの地図を前記表示手段に表示させることを特徴とする携帯端末。
【請求項４】
請求項３記載の携帯端末において、
地図データを記憶する地図データ記憶手段と、
ナビゲーション装置から地図を示す地図データを受信する地図データ受信手段とを備え、
前記制御手段は、前記位置データ受信手段により受信された位置データに対応する地図データが前記地図データ記憶手段に記憶されているときには、該当する地図データを前記地図データ記憶手段から読出し、その読出された地図データの地図を前記表示手段に表示させ、前記位置データ受信手段により受信された位置データに対応する地図データが前記地図データ記憶手段に記憶されていないときには、ナビゲーション装置から該当する地図データを前記地図データ受信手段により受信させ、その受信された地図データの地図を前記表示手段に表示させることを特徴とする携帯端末。
【請求項５】
請求項３または４記載の携帯端末において、
前記表示手段により表示される地図の範囲や種類が変更可能であることを特徴とする携帯端末。
【請求項６】
請求項３ないし５のいずれかに記載の携帯端末において、
前記制御手段は、前記第１の低消費電力状態、前記第２の低消費電力状態および前記通常動作状態のいずれに遷移させているかを区別して状態報知手段により報知することを特徴とする携帯端末。
【請求項７】
請求項１ないし６のいずれかに記載の携帯端末において、
前記位置データ受信手段は、ナビゲーション装置から位置データを有線接続によって受信することを特徴とする携帯端末。
【請求項８】
請求項１ないし７のいずれかに記載の携帯端末と、
位置を示す位置データを取得する位置データ取得手段と、前記位置データ取得手段により取得された位置データを位置データ送信手段から前記携帯端末に送信させる制御手段とを備えたナビゲーション装置とを具備してなることを特徴とするデータ転送システム。
【請求項９】
請求項８記載のデータ転送システムにおいて、
前記携帯端末の制御手段および前記ナビゲーション装置の制御手段のうちの少なくともいずれかは、前記ナビゲーション装置から前記携帯端末に位置データや地図データが転送されていることを転送報知手段により報知することを特徴とするデータ転送システム。
【発明の詳細な説明】
【０００１】
【発明の属する技術分野】
本発明は、携帯情報端末などの携帯端末および前記携帯端末とカーナビゲーション装置などのナビゲーション装置とを具備してなるデータ転送システムに関する。
【０００２】
【発明が解決しようとする課題】
例えば特開２０００−３１５２９６号公報には、カーナビゲーション装置から当該カーナビゲーション装置にて取得された位置を示す位置データを携帯情報端末に転送し、携帯情報端末がカーナビゲーション装置から転送された位置データに対応する地図データの地図を表示するものが開示されている。
【０００３】
ところで、カーナビゲーション装置から携帯情報端末に位置データを転送するには、従来のものでは、携帯情報端末の電源キーがオンされている必要がある。そのため、カーナビゲーション装置から携帯情報端末に位置データを転送しようとするときに、携帯情報端末の電源キーがオフされていると、ユーザは、携帯情報端末の電源キーをオンさせる必要があり、その操作が繁雑であるという問題がある。
【０００４】
一方、ユーザが一人で運転しているときに、携帯情報端末の電源がオンされており、カーナビゲーション装置から携帯情報端末に位置データが転送されていると、このときは、ユーザが運転中であり、つまり、運転に集中していることから、ユーザが携帯情報端末を使用することは殆どないので、電源がオンされているために、携帯情報端末の電力を不要に消費しているという問題がある。
【０００５】
本発明は、上記した事情に鑑みてなされたものであり、その目的は、ナビゲーション装置から携帯端末に位置データを転送するに際して、携帯端末での消費電力を抑えることができる携帯端末、データ転送システムを提供することにある。
【０００６】
【課題を解決するための手段】
請求項１に記載した携帯端末によれば、制御手段は、少なくとも位置データ受信手段および位置データ記憶手段のナビゲーション装置から位置データを転送するのに必要となる手段のみを動作させる第１の低消費電力状態に遷移させることによって、ナビゲーション装置から位置データを位置データ受信手段により受信させ、その受信された位置データを位置データ記憶手段に記憶させるように構成したので、全ての手段を動作させるのではなく、ナビゲーション装置から位置データを転送するのに必要な手段のみを動作させることによって、その分、消費電力を抑えることができる。
また、制御手段は、ユーザによりオンオフされる電源キーがオフされていると、少なくとも接続検出手段のナビゲーション装置との接続を検出するのに必要となる手段のみを動作させる第２の低消費電力状態に遷移させるように構成したので、全ての手段を動作させるのではなく、ナビゲーション装置との接続を検出するのに必要な手段のみを動作させることによって、この場合にも、その分、消費電力を抑えることができる。
【０００７】
請求項２に記載した携帯端末によれば、制御手段は、第２の低消費電力状態に遷移させているときに、接続検出手段によりナビゲーション装置と接続されていることが検出されると、第２の低消費電力状態から第１の低消費電力状態に遷移させることによって、ナビゲーション装置から位置データを位置データ受信手段により受信させ、その受信された位置データを位置データ記憶手段に記憶させるように構成したので、ナビゲーション装置と接続されると、ナビゲーション装置から位置データを速やかに転送することができる。
【０００８】
請求項３に記載した携帯端末によれば、制御手段は、電源キーがオンされると、少なくとも位置データ受信手段、位置データ記憶手段、接続検出手段および表示手段の地図を表示するのに必要となる手段を動作させる通常動作状態に遷移させることによって、位置データ記憶手段に記憶されている最新の位置データに対応する地図データの地図を表示手段に表示させるように構成したので、最新の位置データに対応する地図データの地図を確認することができる。
【０００９】
請求項４に記載した携帯端末によれば、制御手段は、位置データ受信手段により受信された位置データに対応する地図データが地図データ記憶手段に記憶されていると、該当する地図データを地図データ記憶手段から読出し、その読出された地図データの地図を表示手段に表示させ、一方、位置データ受信手段により受信された位置データに対応する地図データが地図データ記憶手段に記憶されていないと、ナビゲーション装置から該当する地図データを地図データ受信手段により受信させ、その受信された地図データの地図を表示手段に表示させるように構成したので、例えば自宅周辺、勤務先或いは通勤経路などの頻繁に使用すると予想される区域の地図データを地図データ記憶手段に記憶させておくことによって、当該区域の地図デ−タをナビゲーション装置から逐一転送する必要がなく、当該区域の地図を速やかに表示させることができ、当該区域の地図を速やかに確認することできる。
そして、この場合は、このように例えば自宅周辺、勤務先或いは通勤経路などの頻繁に使用すると予想される区域の地図データのみを地図データ記憶手段に記憶させておけば良く、つまり、当該区域の地図データ以外の地図データの地図が必要な場合には、ナビゲーション装置から逐一転送すれば良いので、地図データ記憶手段の記憶領域としては、必要最小限の容量があれば良く、その分、地図データ記憶手段の記憶領域を抑えることができる。
【００１０】
請求項５に記載した携帯端末によれば、表示手段により表示される地図の範囲や種類が変更可能に構成したので、地図の範囲や種類を使用状態に応じて変更することによって、使用状態に応じた最適な範囲や種類の地図を確認することができる。
【００１１】
請求項６に記載した携帯端末によれば、制御手段は、第１の低消費電力状態、第２の低消費電力状態および通常動作状態のいずれに遷移させているかを区別して状態報知手段により報知するように構成したので、状態報知手段の報知内容を判定することによって、第１の低消費電力状態、第２の低消費電力状態および通常動作状態のいずれに遷移しているかを容易に確認することができる。
【００１３】
請求項７に記載した携帯端末によれば、位置データ受信手段は、ナビゲーション装置から位置データを有線接続によって受信するように構成したので、ナビゲーション装置から位置データを無線接続によって受信する場合と比較すると、無線接続の場合であれば、携帯端末が待受動作を行うことが必要となって消費電力が増大することを考慮すると、その分、消費電力を抑えることができ、携帯端末が一般的には電池駆動の構成であることから、連続使用可能時間の長期化を図ることができる。
【００１４】
請求項８に記載したデータ転送システムによれば、上記した請求項１ないし７のいずれかに記載の携帯端末と、位置を示す位置データを取得する位置データ取得手段と、位置データ取得手段により取得された位置データを位置データ送信手段から携帯端末に送信させる制御手段とを備えたナビゲーション装置とを具備して構築したので、上記した請求項１ないし７に記載したものと同様の作用効果を得ることができる。
【００１５】
請求項９に記載したデータ転送システムによれば、携帯端末の制御手段およびナビゲーション装置の制御手段のうちの少なくともいずれかは、ナビゲーション装置から携帯端末に位置データや地図データが転送されていることを転送報知手段により報知するように構成したので、転送報知手段の報知内容を判定することによって、ナビゲーション装置から携帯端末に位置データや地図データが転送されているか否かを容易に確認することができる。
【００１８】
請求項１２に記載したプログラムによれば、当該プログラムを携帯端末にインストールして実行すると、位置を示す位置データを取得するナビゲーション装置と接続されているか否かを検出させる手順と、ナビゲーション装置と接続されていることが検出されたときに、ユーザによりオンオフされる電源キーがオフされているときであっても、ナビゲーション装置から位置データを受信させる手順と、その受信された位置データを記憶させる手順とを実行するようになるので、上記した請求項１に記載したものと同様の作用効果を得ることができる。すなわち、ナビゲーション装置から位置データを転送しようとするときに、携帯端末の電源キーがオフされていたとしても、ユーザが携帯端末の電源キーをオンさせる必要がなく、ナビゲーション装置から位置データを転送することができ、これによって、操作性を高めることができる。
【００１９】
請求項１３に記載したプログラムによれば、当該プログラムを携帯端末にインストールして実行すると、少なくともナビゲーション装置から位置を示す位置データを受信する位置データ受信手段および当該受信された位置データを記憶する位置データ記憶手段のナビゲーション装置から位置データを転送するのに必要となる手段のみを動作させる第１の低消費電力状態に遷移させる手順と、ナビゲーション装置から位置データを受信させる手順と、その受信された位置データを記憶させる手順とを実行するようになるので、上記した請求項２に記載したものと同様の作用効果を得ることができる。すなわち、全ての手段を動作させるのではなく、ナビゲーション装置から位置データを転送するのに必要な手段のみを動作させることによって、その分、消費電力を抑えることができる。
【００２０】
【発明の実施の形態】
以下、本発明の携帯端末を携帯情報端末に適用すると共に、ナビゲーション装置をカーナビゲーション装置に適用し、それら携帯情報端末とカーナビゲーション装置とからなるデータ転送システムに適用した一実施例について、図面を参照して説明する。
【００２１】
まず、図１は、カーナビゲーション装置および携帯情報端末の電気的な構成を機能ブロック図として示している。カーナビゲーション装置１において、マイクロコンピュータを主体としてなるＣＰＵ（Central Processing Unit ）２（本発明でいうナビゲーション装置の制御手段）は、位置検出部３（本発明でいう位置データ取得手段）、データ入力部４、操作スイッチ部５、記憶部６、表示制御部７、外部情報入出力部８、リモコンセンサ９、接続検出部１０およびデータ転送部１１（本発明でいう位置データ送信手段）を接続して構成されている。
【００２２】
位置検出部３は、ＧＰＳ衛星（Global Positioning System ）１２から受信されたＧＰＳ電波に格納されているパラメータを演算するＧＰＳ受信機１３、地磁気に基づいて方位を検出する地磁気センサ１４、角速度を検出することに基づいて方位を算出するジャイロセンサ１５および走行距離を検出する距離センサ１６を備えて構成されており、これらは互いに検出誤差を補完してカーナビゲーション装置１の位置を示す位置データを算出し、その算出された位置データをＣＰＵ２に出力する。
【００２３】
データ入力部４は、例えばＣＤ−ＲＯＭ（Compact Disk−Read Only Memory）、ＤＶＤ−ＲＯＭ（Digital Versatile Disk−Read Only Memory）或いはメモリカードなどの外部記憶媒体から地図データ、マップマッチング用データ、目印データ或いはＨＴＭＬ（Hyper Text Markup Language）データなどの各種のデータを入力する。操作スイッチ部５は、ディスプレイ１７などに一体的に配設されており、各種のスイッチの操作を検出し、操作検出信号をＣＰＵ２に出力する。
【００２４】
記憶部６は、ＣＰＵ２が実行する制御プログラムを記憶しており、ＣＰＵ２は、記憶部６に記憶されている制御プログラムを読出して実行することによって、詳しくは後述する処理を行う。表示制御部７は、ディスプレイ１７（本発明でいう転送報知手段）における表示制御を行い、また、外部情報入出力部８は、外部から提供される情報（例えばＶＩＣＳ（Vehicle Information & Communication System）情報）を受信すると共に、外部へ情報を発信する。さらに、リモコンセンサ９は、操作リモコン１８における操作を検出し、操作検出信号をＣＰＵ２に出力する。
【００２５】
接続検出部１０は、カーナビゲーション装置１と携帯情報端末１９とが接続ケーブル２０を通じて物理的に接続されているか否かを検出し、カーナビゲーション装置１と携帯情報端末１９とが物理的に接続されていることを検出すると、接続検出信号をＣＰＵ２に出力する。データ転送部１１は、所定条件が成立すると、位置検出部３により算出された位置データを接続ケーブル２０を通じて携帯情報端末１９に送信し、場合によっては、データ入力部４が外部記憶媒体から入力した地図データをも接続ケーブル２０を通じて携帯情報端末１９に送信する。
【００２６】
携帯情報端末１９において、マイクロコンピュータを主体としてなるＣＰＵ２１（本発明でいう携帯端末の制御手段）は、操作部２２、ディスプレイ２３（本発明でいう表示手段）、記憶部２４、位置データ記憶部２５（本発明でいう位置データ記憶手段）、地図データ記憶部２６（本発明でいう地図データ記憶手段）、接続検出部２７（本発明でいう接続検出手段）、データ転送部２８（本発明でいう位置データ受信手段、地図データ受信手段）、外部情報入出力部２９およびＬＥＤ（Light Emitting Diode）３０（本発明でいう状態報知手段）を接続して構成されている。
【００２７】
操作部２２は、ユーザにより操作される電源キー２２ａ、設定キーおよび解除キーなどの各種のキーを配列してなり、各種のキーの操作を検出し、操作検出信号をＣＰＵ２１に出力する。ディスプレイ２３は、ＣＰＵ２１から表示指令信号を入力すると、その入力された表示指令信号に応じた表示情報を表示する。記憶部２４は、ＣＰＵ２１が実行する制御プログラムを記憶しており、ＣＰＵ２１は、記憶部２４に記憶されている制御プログラムを読出して実行することによって、詳しくは後述する処理を行う。
【００２８】
接続検出部２７は、携帯情報端末１９とカーナビゲーション装置１とが接続ケーブル２０を通じて物理的に接続されているか否かを検出し、携帯情報端末１９とカーナビゲーション装置１とが物理的に接続されていることを検出すると、接続検出信号をＣＰＵ２１に出力する。データ転送部２８は、カーナビゲーション装置１が位置データを送信したことに応じて、カーナビゲーション装置１から位置データを受信し、ＣＰＵ２１は、カーナビゲーション装置１からデータ転送部２８により位置データが受信されると、その受信された位置データを位置データ記憶部２５に記憶させる。
【００２９】
また、データ転送部２８は、場合によっては、カーナビゲーション装置１が地図データを送信したことに応じて、カーナビゲーション装置１から地図データをも受信する。地図データ記憶部２６は、地図データを記憶しており、ＣＰＵ２１は、位置データ記憶部２５に記憶されている位置データに対応する地図データが地図データ記憶部２６に記憶されているときには、該当する地図データを地図データ記憶部２６から読出し、その読出された地図データの地図をディスプレイ２３に表示させ、一方、位置データ記憶部２５に記憶されている位置データに対応する地図データが地図データ記憶部２６に記憶されていないときには、上記したようにしてカーナビゲーション装置１からデータ転送部２８により受信された地図データの地図をディスプレイ２３に表示させる。
【００３０】
さて、上記した構成において、携帯情報端末１９は、二次電池（図示せず）が着脱可能であり、二次電池から供給される電力を駆動電力として動作するように構成されている。また、携帯情報端末１９は、図２に示すように、第１の低消費電力状態、第２の低消費電力状態および通常動作状態の間で遷移するように構成されている。
【００３１】
ここで、ＣＰＵ２１は、記憶部２４、位置データ記憶部２５、地図データ記憶部２６、接続検出部２７、データ転送部２８およびＬＥＤ３０の機能ブロックを選択的に動作させることによって、端末自体を第１の低消費電力状態に遷移させる。また、ＣＰＵ２１は、記憶部２４および接続検出部２７の機能ブロックを選択的に動作させることによって、端末自体を第２の低消費電力状態に遷移させる。さらに、ＣＰＵ２１は、操作部２２、ディスプレイ２３、記憶部２４、位置データ記憶部２５、地図データ記憶部２６、接続検出部２７、データ転送部２８、外部情報入出力部２９およびＬＥＤ３０の全ての機能ブロックを動作させることによって、端末自体を通常動作状態に遷移させる。すなわち、携帯情報端末１９は、第２の低消費電力状態に遷移しているとき、第１の低消費電力状態に遷移しているとき、通常動作状態に遷移しているときの順にしたがって端末全体としての消費電力が大きくなるように構成されている。
【００３２】
次に、上記した構成の作用について、図３ないし図８も参照して説明する。ここで、図３ないし図５は、携帯情報端末１９が行う制御をフローチャートとして示しており、図６は、カーナビゲーション装置１が行う制御をフローチャートとして示している。また、ここでは、携帯情報端末１９は、二次電池が装着された直後では、第２の低消費電力状態に遷移することを前提として説明する。
【００３３】
携帯情報端末１９において、ＣＰＵ２１は、二次電池が装着されると、記憶部２４に記憶されている制御プログラムを読出して実行することによって、以下の処理を行う。すなわち、ＣＰＵ２１は、二次電池が装着されると、最初に、端末自体を第２の低消費電力状態に遷移させる（ステップＳ１）。そして、ＣＰＵ２１は、電源キー２２ａがオンされているか否かを監視すると共に（ステップＳ２）、携帯情報端末１９とカーナビゲーション装置１とが物理的に接続されているか否かを監視する（ステップＳ３）。
【００３４】
さて、ここで、ユーザが電源キー２２ａをオンすることなく、携帯情報端末１９とカーナビゲーション装置１とを物理的に接続したと仮定する。この場合、ＣＰＵ２１は、電源キー２２ａがオンされていることを検出するよりも前に、携帯情報端末１９とカーナビゲーション装置１とが物理的に接続されていることを検出することになるので（ステップＳ３にて「ＹＥＳ」）、端末自体を第２の低消費電力状態から第１の低消費電力状態に遷移させ（ステップＳ４、図２中矢印Ｐ１参照）、ＬＥＤ３０を点滅させる（ステップＳ５）。このとき、ユーザは、ＬＥＤ３０が消灯から点滅に変化したことによって、端末自体が第２の低消費電力状態から第１の低消費電力状態に遷移したことを確認することができる。
【００３５】
次いで、ＣＰＵ２１は、端末自体を第２の低消費電力状態から第１の低消費電力状態に遷移させた後にも、電源キー２２ａがオンされているか否かを監視すると共に（ステップＳ６）、携帯情報端末１９とカーナビゲーション装置１とが物理的に接続されているか否かを監視する（ステップＳ７）。ここでは、ＣＰＵ２１は、先に説明したように、携帯情報端末１９とカーナビゲーション装置１とが物理的に接続されていることを検出しているので（ステップＳ７にて「ＹＥＳ」）、カーナビゲーション装置１からデータ転送部２８により位置データが受信されたか否かを監視する（ステップＳ８）。
【００３６】
一方、カーナビゲーション装置１において、ＣＰＵ２は、記憶部６に記憶されている制御プログラムを読出して実行することによって、以下の処理を行う。すなわち、ＣＰＵ２は、自動車に搭載されているバッテリ（図示せず）から駆動電力が供給されているときには、カーナビゲーション装置１と携帯情報端末１９とが物理的に接続されているか否かを監視している（ステップＴ１）。そして、ＣＰＵ２は、カーナビゲーション装置１と携帯情報端末１９とが物理的に接続されていることを検出すると（ステップＴ１にて「ＹＥＳ」）、位置データを携帯情報端末１９に送信すべき所定条件が成立したか否かを監視すると共に（ステップＴ２）、携帯情報端末１９からデータ転送部１１によりリクエストが受信されたか否かを監視する（ステップＴ３）。
【００３７】
さて、ここで、ＣＰＵ２は、位置データを携帯情報端末１９に送信すべき所定条件が成立すると（ステップＴ２にて「ＹＥＳ」）、データ転送部１１から位置検出部３にて取得されたカーナビゲーション装置１の位置を示す位置データを携帯情報端末１９に送信させる（ステップＴ４）。尚、この場合、位置データを携帯情報端末１９に送信すべき所定条件とは、例えばカーナビゲーション装置１を搭載している自動車が移動したことに応じて、その移動距離が所定距離を越えた場合などである。そして、ＣＰＵ２は、位置データを携帯情報端末１９に送信させている間は、位置データを送信中であることを示すアイコンをディスプレイ１７に表示させる（ステップＴ５）。このとき、ユーザは、位置データを送信中であることを示すアイコンが表示されることによって、カーナビゲーション装置１から携帯情報端末１９に位置データが送信されていることを確認することができる。
【００３８】
これを受けて、携帯情報端末１９において、ＣＰＵ２１は、カーナビゲーション装置１からデータ転送部２８により位置データが受信されたことを検出すると（ステップＳ８にて「ＹＥＳ」）、その受信された位置データを位置データ記憶部２５に記憶させる（ステップＳ９）。尚、このとき、ＣＰＵ２１は、カーナビゲーション装置１からデータ転送部２８により位置データが受信された時点で、位置データが既に位置データ記憶部２５に記憶されていれば、位置データ記憶部２５に記憶されている位置データを消去し、今回に受信された位置データを新たに記憶させることによって、位置データを更新させる。そして、ＣＰＵ２１は、上記したステップＳ６に戻り、これ以降、同様の処理を繰返して実行する。このような制御によって、携帯情報端末１９では、第１の低消費電力状態にあるときには、最新の位置データを位置データ記憶部２５に記憶することになる。
【００３９】
次いで、ユーザが電源キー２２ａをオンすることなく、携帯情報端末１９とカーナビゲーション装置１との物理的な接続を解除したと仮定する。この場合、ＣＰＵ２１は、端末自体を第１の低消費電力状態に遷移させているときに、電源キー２２ａがオンされていることを検出するよりも前に、携帯情報端末１９とカーナビゲーション装置１とが物理的に接続されていないことを検出することになるので（ステップＳ７にて「ＮＯ」）、端末自体を第１の低消費電力状態から第２の低消費電力状態に遷移させ（ステップＳ１０、図２中矢印Ｐ２参照）、ＬＥＤ３０を消灯させる（ステップＳ１１）。このとき、ユーザは、ＬＥＤ３０が点滅から消灯に変化したことによって、端末自体が第１の低消費電力状態から第２の低消費電力状態に遷移したことを確認することができる。そして、ＣＰＵ２１は、上記したステップＳ２に戻り、これ以降、同様の処理を繰返して実行する。
【００４０】
一方、ユーザが携帯情報端末１９とカーナビゲーション装置１とを物理的に接続することなく、電源キー２２ａをオンしたと仮定する。この場合、ＣＰＵ２１は、端末自体を第２の低消費電力状態に遷移させているときに、携帯情報端末１９とカーナビゲーション装置１とが物理的に接続されていることを検出するよりも前に、電源キー２２ａがオンされていることを検出することになるので（ステップＳ２にて「ＹＥＳ」）、端末自体を第２の低消費電力状態から通常動作状態に遷移させ（ステップＳ１２、図２中矢印Ｐ３参照）、ＬＥＤ３０を点灯させる（ステップＳ１３）。このとき、ユーザは、ＬＥＤ３０が消灯から点灯に変化したことによって、端末自体が第２の低消費電力状態から通常動作状態に遷移したことを確認することができる。
【００４１】
また、ユーザが携帯情報端末１９とカーナビゲーション装置１との物理的な接続を解除することなく、電源キー２２ａをオンしたと仮定する。この場合、ＣＰＵ２１は、端末自体を第１の低消費電力状態に遷移させているときに、携帯情報端末１９とカーナビゲーション装置１とが物理的に接続されていないことを検出するよりも前に、電源キー２２ａがオンされていることを検出することになるので（ステップＳ６にて「ＹＥＳ」）、端末自体を第１の低消費電力状態から通常動作状態に遷移させ（ステップＳ１２、図２中矢印Ｐ４参照）、ＬＥＤ３０を点灯させる（ステップＳ１３）。このとき、ユーザは、ＬＥＤ３０が点滅から点灯に変化したことによって、端末自体が第１の低消費電力状態から通常動作状態に遷移したことを確認することができる。
【００４２】
次いで、ＣＰＵ２１は、端末自体を第２の低消費電力状態または第１の低消費電力状態から通常動作状態に遷移させた後にも、電源キー２２ａがオンされているか否かを監視すると共に（ステップＳ１４）、携帯情報端末１９とカーナビゲーション装置１とが物理的に接続されているか否かを監視する（ステップＳ１５）。
【００４３】
ここで、ＣＰＵ２１は、電源キー２２ａがオンされていることを検出し（ステップＳ１４にて「ＹＥＳ」）、携帯情報端末１９とカーナビゲーション装置１とが物理的に接続されていることを検出すると（ステップＳ１５にて「ＹＥＳ」）、カーナビゲーション装置１からデータ転送部２８により位置データが受信されたか否かを監視する（ステップＳ１６）。
【００４４】
そして、ＣＰＵ２１は、カーナビゲーション装置１からデータ転送部２８により位置データが受信されたことを検出すると（ステップＳ１６にて「ＹＥＳ」）、その受信された位置データを位置データ記憶部２５に記憶させる（ステップＳ１７）。尚、このときも、ＣＰＵ２１は、カーナビゲーション装置１からデータ転送部２８により位置データが受信された時点で、位置データが既に位置データ記憶部２５に記憶されていれば、位置データ記憶部２５に記憶されている位置データを消去し、今回に受信された位置データを新たに記憶させることによって、位置データを更新させる。
【００４５】
また、ＣＰＵ２１は、カーナビゲーション装置１からデータ転送部２８により位置データが受信されていないことを検出すると（ステップＳ１６にて「ＮＯ」）、位置データが位置データ記憶部２５に記憶されているか否かを判定する（ステップＳ１８）。そして、ＣＰＵ２１は、位置データが位置データ記憶部２５に記憶されていることを検出すると（ステップＳ１８にて「ＹＥＳ」）、位置データ記憶部２５に記憶されている位置データに対応する地図データが地図データ記憶部２６に記憶されているか否かを判定する（ステップＳ１９）。
【００４６】
そして、ＣＰＵ２１は、該当する地図データが地図データ記憶部２６に記憶されていることを検出すると（ステップＳ１９にて「ＹＥＳ」）、該当する地図データを地図データ記憶部２６から読出し（ステップＳ２０）、その読出された地図データの地図をディスプレイ２３に表示させる（ステップＳ２１）。
【００４７】
このような制御によって、携帯情報端末１９では、図７に示すように、第２の低消費電力状態または第１の低消費電力状態から通常動作状態に遷移すると、その時点で位置データ記憶部２５に記憶されている位置データに対応する地図データが地図データ記憶部２６に記憶されていれば、該当する地図データを地図データ記憶部２６から読出し、その読出された地図データの地図をディスプレイ２３に表示することになる。尚、この場合、携帯情報端末１９では、カーナビゲーション用の地図データとは異なる例えば歩行用に編集された地図データが地図データ記憶部２６に記憶されていれば、カーナビゲーション装置１のディスプレイ１７に表示されるカーナビゲーション用の地図とは異なる歩行者用に編集された地図をディスプレイ２３に表示することになる。尚、図７において、携帯情報端末１９のディスプレイ２３では、位置データにより示される位置を「星」印で示している。
【００４８】
また、ＣＰＵ２１は、位置データ記憶部２５に記憶されている位置データに対応する地図データが地図データ記憶部２６に記憶されていないことを検出すると（ステップＳ１９にて「ＮＯ」）、データ転送部２８からリクエストをカーナビゲーション装置１に送信させる（ステップＳ２２）。
【００４９】
これを受けて、カーナビゲーション装置１において、ＣＰＵ２は、携帯情報端末１９からデータ転送部１１によりリクエストが受信されたことを検出すると  （ステップＴ３にて「ＹＥＳ」）、その直前に携帯情報端末１９に送信させた位置データに対応する地図データを外部記憶媒体からデータ入力部４を通じて読出し（ステップＴ６）、データ転送部１１から当該読出された地図データを携帯情報端末１９に送信させる（ステップＴ７）。そして、ＣＰＵ２は、地図データを携帯情報端末１９に送信させている間は、地図データを送信中であることを示すアイコンをディスプレイ１７に表示させる（ステップＴ８）。このとき、ユーザは、地図データを送信中であることを示すアイコンが表示されることによって、カーナビゲーション装置１から携帯情報端末１９に地図データが送信されていることを確認することができる。
【００５０】
そして、これを受けて、携帯情報端末１９において、ＣＰＵ２１は、カーナビゲーション装置１からデータ転送部２８により地図データが受信されたことを検出すると（ステップＳ２３にて「ＹＥＳ」）、その受信された地図データの地図をディスプレイ２３に表示させる（ステップＳ２４）。
【００５１】
このような制御によって、携帯情報端末１９では、図８に示すように、第２の低消費電力状態または第１の低消費電力状態から通常動作状態に遷移すると、その時点で位置データ記憶部２５に記憶されている位置データに対応する地図データが地図データ記憶部２６に記憶されていなければ、リクエストをカーナビゲーション装置１に送信することによって、カーナビゲーション装置１から該当する地図データを受信し、その受信された地図データの地図をディスプレイ２３に表示することになる。尚、この場合、携帯情報端末１９では、カーナビゲーション装置１のディスプレイ１７に表示されるカーナビゲーション用の地図と同じものをディスプレイ２３に表示することになる。
【００５２】
尚、以上に説明した構成において、携帯情報端末１９に、カーナビゲーション装置１から受信されたカーナビゲーション用の地図を歩行者用の地図に編集する機能を備えたり、カーナビゲーション装置１に、カーナビゲーション用の地図を歩行者用の地図に編集して携帯情報端末１９に送信する機能を備えることによって、携帯情報端末１９のディスプレイ２３に表示される地図の範囲や種類を、例えば携帯情報端末１９の操作部２２、カーナビゲーション装置１の操作スイッチ部６或いは操作リモコン１８にて所定操作が行われることによって、あらかじめ設定できるように構成することも可能である。
【００５３】
次いで、ユーザが電源キー２２ａをオフすることなく、携帯情報端末１９とカーナビゲーション装置１との物理的な接続を解除したと仮定する。この場合、ＣＰＵ２１は、端末自体を通常動作状態に遷移させているときに、電源キー２２ａがオンされていることを検出し（ステップＳ１４にて「ＹＥＳ」）、携帯情報端末１９とカーナビゲーション装置１とが物理的に接続されていないことを検出することになるので（ステップＳ１５にて「ＮＯ」）、位置データが位置データ記憶部２５に記憶されているか否かを判定する（ステップＳ２６）。そして、ＣＰＵ２１は、位置データが位置データ記憶部２５に記憶されていることを検出すると（ステップＳ２６にて「ＹＥＳ」）、位置データ記憶部２５に記憶されている位置データに対応する地図データが地図データ記憶部２６に記憶されているか否かを判定する（ステップＳ２７）。
【００５４】
そして、ＣＰＵ２１は、該当する地図データが地図データ記憶部２６に記憶されていることを検出すると（ステップＳ２７にて「ＹＥＳ」）、該当する地図データを地図データ記憶部２６から読出し（ステップＳ２８）、その読出された地図データの地図をディスプレイ２３に表示させる（ステップＳ２９）。これ以降、ＣＰＵ２１は、ユーザの操作が行われると、その操作に応じて各種の情報をディスプレイ２３に表示させる（ステップＳ３０）。そして、ＣＰＵ２１は、上記したステップＳ１４に戻り、これ以降、同様の処理を繰返して実行する。
【００５５】
尚、ＣＰＵ２１は、位置データが位置データ記憶部２５に記憶されていないことを検出すると（ステップＳ２６にて「ＮＯ」）、位置データが記憶されていないことを示すアイコンをディスプレイ２３に表示させる（ステップＳ３１）。このとき、ユーザは、位置データが記憶されていないことを示すアイコンが表示されることによって、位置データが記憶されていないことを確認することができる。また、ＣＰＵ２１は、地図データが地図データ記憶部２５に記憶されていないことを検出すると（ステップＳ２７にて「ＮＯ」）、地図データが記憶されていないことを示すアイコンをディスプレイ２３に表示させる（ステップＳ３２）。このとき、ユーザは、地図データが記憶されていないことを示すアイコンが表示されることによって、地図データが記憶されていないことを確認することができる。
【００５６】
次いで、ユーザが携帯情報端末１９とカーナビゲーション装置１との物理的な接続を解除することなく、電源キー２２ａをオフしたと仮定する。この場合、ＣＰＵ２１は、端末自体を通常動作状態に遷移させているときに、電源キー２２ａがオフされていることを検出し（ステップＳ１４にて「ＮＯ」）、携帯情報端末１９とカーナビゲーション装置１とが物理的に接続されていることを検出することになるので（ステップＳ２５にて「ＹＥＳ」）、上記したステップＳ４に戻り、つまり、端末自体を通常動作状態から第１の低消費電力状態に遷移させ（図２中矢印Ｐ５参照）、これ以降、同様の処理を繰返して実行する。
【００５７】
また、ユーザが携帯情報端末１９とカーナビゲーション装置１との物理的な接続を解除し、電源キー２２ａをオフしたと仮定する。この場合、ＣＰＵ２１は、端末自体を通常動作状態に遷移させているときに、電源キー２２ａがオフされていることを検出し（ステップＳ１４にて「ＮＯ」）、携帯情報端末１９とカーナビゲーション装置１とが物理的に接続されていないことを検出することになるので（ステップＳ２５にて「ＮＯ」）、上記したステップＳ１０に戻り、つまり、端末自体を通常動作状態から第２の低消費電力状態に遷移させ（図２中矢印Ｐ６参照）、これ以降、同様の処理を繰返して実行する。
【００５８】
以上に説明したように本実施例によれば、携帯情報端末１９において、カーナビゲーション装置１と接続されていることが検出されると、電源キー２２ａがオフされているときであっても、カーナビゲーション装置１から位置データを受信し、その受信された位置データを記憶するように構成したので、カーナビゲーション装置１から位置データを転送しようとするときに、携帯情報端末１９の電源キー２２ａがオフされていたとしても、ユーザが携帯情報端末１９の電源キー２２ａをオンさせる必要がなく、カーナビゲーション装置１から位置データを転送することができ、これによって、操作性を高めることができる。
【００５９】
また、携帯情報端末１９において、カーナビゲーション装置１から位置データを転送するのに必要な機能ブロックのみを動作させる第１の低消費電力状態に遷移することによって、カーナビゲーション装置１から位置データを受信し、その受信された位置データを記憶するように構成したので、全ての機能ブロックを動作させるのではなく、カーナビゲーション装置１から位置データを転送するのに必要な機能ブロックのみを動作させることによって、その分、消費電力を抑えることができる。
【００６０】
また、携帯情報端末１９において、カーナビゲーション装置１から受信された位置データに対応する地図データが地図データ記憶部２６に記憶されているときには、該当する地図データを地図データ記憶部２６から読出し、その読出された地図データの地図をディスプレイ２３に表示し、一方、カーナビゲーション装置１から受信された位置データに対応する地図データが地図データ記憶部２６に記憶されていないときには、リクエストをカーナビゲーション装置１に送信することによってカーナビゲーション装置１から該当する地図データを受信し、その受信された地図データの地図をディスプレイ２３に表示するように構成したので、例えば自宅周辺、勤務先或いは通勤経路などの頻繁に使用すると予想される区域の地図データを地図データ記憶部２６に記憶させておくことによって、当該区域の地図デ−タをカーナビゲーション装置１から逐一転送する必要がなく、当該区域の地図を速やかに表示させることができ、当該区域の地図を速やかに確認することできる。
【００６１】
そして、この場合は、このように例えば自宅周辺、勤務先或いは通勤経路などの頻繁に使用すると予想される区域の地図データのみを地図データ記憶部２６に記憶させておけば良く、つまり、当該区域の地図データ以外の地図データの地図が必要な場合には、カーナビゲーション装置１から逐一転送すれば良いので、地図データ記憶部２６の記憶領域としては、必要最小限の容量があれば良く、その分、地図データ記憶部２６の記憶領域を抑えることができる。
【００６２】
また、携帯情報端末１９において、カーナビゲーション装置１から位置データを有線接続によって受信するように構成したので、カーナビゲーション装置１から位置データを無線接続によって受信する場合と比較すると、無線接続の場合であれば、携帯情報端末１９が待受動作を行うことが必要となって低消費電力が増大することを考慮すると、消費電力を抑えることができ、連続使用可能時間の長期化を図ることができる。
【００６３】
また、携帯情報端末１９において、第２の低消費電力状態に遷移しているときにはＬＥＤ３０が消灯し、第１の低消費電力状態に遷移しているときにはＬＥＤ３０が点滅し、通常動作状態に遷移しているときにはＬＥＤ３０が点灯するように構成したので、ＬＥＤ３０の状態に基づいて、第２の低消費電力状態、第１の低消費電力状態および通常動作状態のいずれにあるかを容易に確認することができる。
【００６４】
また、カーナビゲーション装置１において、位置データや地図データを携帯情報端末１９に送信している間は、位置データや地図データを送信中であることを示すアイコンをディスプレイ１７に表示するように構成したので、これらのアイコンが表示されることに基づいて、カーナビゲーション装置１から携帯情報端末１９に位置データや地図データが送信されていることを容易に確認することができる。そして、このとき、アイコンを携帯情報端末１９のディスプレイ２３に表示するのではなく、アイコンをカーナビゲーション装置１のディスプレイ１７に表示するように構成したので、アイコンを携帯情報端末１９のディスプレイ２３に表示する場合と比較すると、携帯情報端末１９での消費電力を抑えることをもできる。
【００６５】
本発明は、上記した実施例にのみ限定されるものでなく、次のように変形または拡張することができる。
携帯端末は、携帯情報端末に限らず、携帯電話機などの他のものであっても良く、また、ナビゲーション装置は、自動車に搭載されるカーナビゲーション装置に限らず、携帯可能な携帯型のナビゲーション装置などの他のものであっても良い。
【００６６】
カーナビゲーション装置から携帯情報端末への位置データの送信を携帯情報端末の操作部、カーナビゲーション装置の操作スイッチ部或いは操作リモコンにて所定操作が行われることをトリガとして開始する構成であっても良く、また、イグニッションキーの操作をトリガとして開始する構成であっても良い。
【００６７】
携帯情報端末がカーナビゲーション装置から位置データを無線接続によって受信する構成であっても良い。
カーナビゲーション装置の位置検出部は、ＧＰＳ受信機、地磁気センサ、ジャイロセンサおよび距離センサからなる構成に限らず、他のセンサを備える構成であっても良い。
カーナビゲーション装置から携帯情報端末に位置データや地図データを送信しているときに、その旨を示すアイコンをカーナビゲーションのディスプレイに表示する構成に限らず、携帯情報端末のディスプレイに表示する構成であっても良い。また、アイコンを表示する構成に限らず、文字メッセージを表示する構成であっても良い。
【００６８】
携帯情報端末およびカーナビゲーション装置において、上記した処理を行う制御プログラムは、最初（例えば製品化の段階）からそれぞれの記憶部に記憶されているものに限らず、例えば特定のサーバからネットワークを通じてダウンロードされたり或いはカードなどの記録媒体から転送され、インストールされるものであっても良い。
【図面の簡単な説明】
【図１】本発明の一実施例を示す機能ブロック図
【図２】状態遷移図
【図３】携帯情報端末の制御を示すフローチャート（その１）
【図４】携帯情報端末の制御を示すフローチャート（その２）
【図５】携帯情報端末の制御を示すフローチャート（その３）
【図６】カーナビゲーション装置の制御を示すフローチャート
【図７】携帯情報端末における地図の表示の一例を示す図
【図８】図７相当図
【符号の説明】
図面中、１はカーナビゲーション装置（ナビゲーション装置）、２はＣＰＵ  （ナビゲーション装置の制御手段）、３は位置検出部（位置データ取得手段）、１１はデータ転送部（位置データ送信手段）、１７はディスプレイ（転送報知手段）、１９は携帯情報端末（携帯端末）、２１はＣＰＵ（携帯端末の制御手段）、２３はディスプレイ（表示手段）、２５は位置データ記憶部（位置データ記憶手段）、２６は地図データ記憶部（地図データ記憶手段）、２７は接続検出部（接続検出手段）、２８はデータ転送部（位置データ受信手段、地図データ受信手段）、３０はＬＥＤ（状態報知手段）である。
【図１】
0003801052.tif 000002
【図２】
0003801052.tif 000003
【図３】
0003801052.tif 000004
【図４】
0003801052.tif 000005
【図５】
0003801052.tif 000006
【図６】
0003801052.tif 000007
【図７】
0003801052.tif 000008
【図８】
0003801052.tif 000009